(57)【特許請求の範囲】
【請求項１】
遊技盤に設けられた遊技部材の所定領域を通過した遊技球を検出する遊技球検出装置を備えた遊技機において、
前記遊技球検出装置は、遊技球が通過する遊技球検出通路と、
この遊技球検出通路を挟んで対向した位置に配置されて前記遊技球検出通路に磁界を発生する一対の磁界発生手段と、
前記遊技球検出通路を挟んで対向した位置に配置された一対のヨークであって、前記磁界発生手段と前記ヨークとが前記遊技球検出通路の周囲に沿って交互に配置され、一方のヨークは間隙を有し、前記一対の磁界発生手段との間で環状磁路を形成可能な一対のヨークと、
前記環状磁路に生じる磁束の変化を検出する磁束検出手段と、を有し、
前記磁界発生手段は前記遊技盤の盤面に平行な方向で対向し、
前記一対のヨークはこの方向に沿って配置され、
前記磁束検出手段は、前記検出面が前記遊技盤の盤面と直交するように配置されていることを特徴とする遊技機。
【請求項２】
前記一対のヨークの各々は、第１の端部及び第２の端部を有し、
前記一対の磁界発生手段の一方は、一方のヨークの前記第１の端部と他方のヨークの前記第１の端部との間に位置し、
前記一対の磁界発生手段の他方は、一方のヨークの前記第２の端部と他方のヨークの前記第２の端部との間に位置し、
前記間隙は、前記一方のヨークの中央部に形成された貫通孔であることを特徴とする請求項１に記載の遊技機。
【請求項３】
前記磁束検出手段の先端部が前記一方のヨークから突出して前記遊技球検出通路に向かって位置するように、前記磁束検出手段は前記貫通孔に配置されたことを特徴とする請求項２に記載の遊技機。
【請求項４】
遊技球が前記遊技球検出通路を通過していないときには、前記一対の磁界発生手段から発生する磁界によって前記一対のヨークに所定の磁束が通過することで前記環状磁路が形成され、
遊技球が前記遊技球検出通路を通過しているときには、前記一対の磁界発生手段から発生する磁界によって生ずる磁束の一部が遊技球の内部を通過し、かつ、前記一対のヨークには前記所定の磁束よりも少ない磁束が通過することを特徴とする請求項１から請求項３のいずれか１項に記載の遊技機。
【発明の詳細な説明】
【技術分野】
【０００１】
本発明は、遊技部材の所定領域を通過した遊技球を検出する遊技球検出装置を備えた遊技機に関するものである。
【背景技術】
【０００２】
従来、この種の遊技機としては、例えばパチンコ機がある。パチンコ機の遊技盤には、遊技球が入賞可能な始動入賞口、一般入賞口および大入賞口などといった遊技部材が設けられており、これらの入賞口には遊技球の通過を検出する通過球センサが設けられている。遊技球がこれらの入賞口に入賞して通過球センサにより検出されると、球タンクから球通路を介して遊技球が上皿に払い出され、遊技者は所定の利益を得ることができる。
【０００３】
下記の特許文献１には、このような遊技球の通過を検出する通過球センサが開示されている。特許文献１に開示されている通過球センサは、磁気抵抗素子が実装された回路基板および磁気抵抗素子に磁界を印加する磁石などが非磁性保護ケース内部に収容されて構成されている。非磁性保護ケースは、遊技球の通過が可能な検出穴を有しており、回路基板およびこの回路基板に実装された磁気抵抗素子の検出面は、検出穴の軸方向に平行に配置されている。遊技球が検出穴を通過すると、磁石による磁界の変化が磁気抵抗素子の検出面において検出されて、磁気抵抗素子の抵抗値が高くなる。この抵抗値の変化によって、磁気抵抗素子に接続された増幅用トランジスタのコレクタ電流が増大し、その際のコレクタ電流の波形変化がパルス信号として回路基板から出力され、遊技球が検出穴を通過したことが検出される。
【特許文献１】特開２００１−９１６５９号公報（段落[００１６]〜[００２９]）
【発明の開示】
【発明が解決しようとする課題】
【０００４】
しかしながら、上記の特許文献１に開示されているような従来の通過球センサは、通過遊技球によって生じる磁界の変化を単に検出しているだけであるので、外部磁界の影響を受けやすい。このため、実際には遊技球が検出穴を通過していない場合であっても、磁気抵抗素子に印加される磁界に変化が生じれば、遊技球が検出穴を通過したものとみなされてしまう。この結果、例えば、通過球センサが設けられた入賞装置に対して遊技盤の前面から磁石を近づけ、この近づけた磁石から発生する磁界によって磁気抵抗素子に印加される磁界を変化させることにより、遊技球が通過したものと通過球センサに誤検出させることで、遊技球を不正に獲得する行為（ゴト行為）が行われてしまう。
【課題を解決するための手段】
【０００５】
本発明はこのような課題を解決するためになされたもので、
遊技盤に設けられた遊技部材の所定領域を通過した遊技球を検出する遊技球検出装置を備えた遊技機において、
前記遊技球検出装置は、遊技球が通過する遊技球検出通路と、
この遊技球検出通路を挟んで対向した位置に配置されて前記遊技球検出通路に磁界を発生する一対の磁界発生手段と、
前記遊技球検出通路を挟んで対向した位置に配置された一対のヨークであって、前記磁界発生手段と前記ヨークとが前記遊技球検出通路の周囲に沿って交互に配置され、一方のヨークは間隙を有し、前記一対の磁界発生手段との間で環状磁路を形成可能な一対のヨークと、
前記環状磁路に生じる磁束の変化を検出する磁束検出手段と、を有し、
前記磁界発生手段は前記遊技盤の盤面に平行な方向で対向し、
前記一対のヨークはこの方向に沿って配置され、
前記磁束検出手段は、前記検出面が前記遊技盤の盤面と直交するように配置されていることを特徴とする。
【０００６】
この構成によれば、遊技球検出通路を遊技球が通過していないときは、一対の磁界発生手段が発生する磁界によって生じる磁束は、環状磁路を形成するヨーク内部を通過する。一方、遊技球検出通路を遊技球が通過するときは、一対の磁界発生手段が発生する磁界によって生じる磁束は遊技球の内部をも通過し、ヨーク内部を通過する磁束は分散して減少する。このため、ヨーク内部を通過する磁束の変化、つまり、環状磁路に生じる磁束の変化に基づいて、遊技球検出通路を遊技球が通過したか否かが、磁束検出手段により検出される。この際、磁束検出手段は、閉じた環状磁路に生じる磁束の変化を検出するので、外部磁界の影響を受けることなく、遊技球の通過を正確に検出することができるようになる。従って、遊技盤の前面から磁石を近づけ、磁束検出手段に外部磁界を及ばせることで遊技球が通過したものと磁束検出手段に誤検出させて、遊技球を不正に獲得するといった不正行為は、防止されるようになる。
【０００７】
また、本発明は、前記一対のヨークの各々が、第１の端部及び第２の端部を有し、
前記一対の磁界発生手段の一方は、一方のヨークの前記第１の端部と他方のヨークの前記第１の端部との間に位置し、
前記一対の磁界発生手段の他方は、一方のヨークの前記第２の端部と他方のヨークの前記第２の端部との間に位置し、
前記間隙は、前記一方のヨークの中央部に形成された貫通孔であることを特徴とする。
【０００８】
この構成によれば、一方のヨークに形成された貫通孔には、一対の磁界発生手段が発生する磁界によって生じる磁束が集中して分布する。このため、遊技球の通過の有無によって環状磁路に生じる磁束の変化は、貫通孔に配置された磁束検出手段によって効果的に、かつ正確に検出されるようになる。
【０００９】
また、本発明は、前記磁束検出手段の先端部が前記一方のヨークから突出して前記遊技球検出通路に向かって位置するように、前記磁束検出手段は前記貫通孔に配置されたことを特徴とする。
【００１０】
この構成によれば、磁束検出手段は、遊技盤に平行な方向に生じる磁束の変化を検出面で検出し、遊技盤に垂直な方向に生じる磁束の変化は検出面では検出しない。このため、例えば遊技盤の前面から磁石を近づけても、磁石により磁束検出手段に及ぶ磁界は磁束検出方向に垂直な方向の成分が主となり、磁束検出手段が検出する磁界にあまり影響を与えないので、磁束検出手段による誤検出を利用した不正行為は、より確実に防止されるようになる。
【００１１】
また、本発明は、
遊技球が前記遊技球検出通路を通過していないときには、前記一対の磁界発生手段から発生する磁界によって前記一対のヨークに所定の磁束が通過することで前記環状磁路が形成され、
遊技球が前記遊技球検出通路を通過しているときには、前記一対の磁界発生手段から発生する磁界によって生ずる磁束の一部が遊技球の内部を通過し、かつ、前記一対のヨークには前記所定の磁束よりも少ない磁束が通過することを特徴とする。
【００１２】
この構成によれば、遊技球が遊技球検出通路を通過する際に発生する磁束の変化によって、遊技球の通過を検出できる。
【発明の効果】
【００１３】
本発明による遊技機によれば、上記のように、磁束検出手段は、閉じた環状磁路に生じる磁束の変化を検出するので、外部磁界の影響を受けることなく、遊技球の通過を正確に検出することができるようになる。従って、遊技盤の前面から磁石を近づけ、磁束検出手段に外部磁界を及ばせることで遊技球が通過したものと磁束検出手段に誤検出させて、遊技球を不正に獲得するといった不正行為は、防止されるようになる。
【発明を実施するための最良の形態】
【００１４】
次に、本発明を実施するための最良の形態について説明する。
【００１５】
図１は、本実施形態によるパチンコ機１０の外観を示す斜視図である。パチンコ機１０は、前面の中央部にパチンコ遊技が行われる透明遊技盤１２を備えており、その盤面から、透明遊技盤１２の背後に設けられた液晶表示装置１３ｃが透けて観察される。透明遊技盤１２の下方には、上部受皿１１ｂ１および下部受皿１１ｂ２からなる皿ユニット１１ｂが設けられている。下部受皿１１ｂ２の右方には発射ハンドル１が設けられている。
【００１６】
透明遊技盤１２の中央部には、液晶表示装置１３ｃに表示された特別図柄が視認される特別図柄表示部１２ａが設けられており、特別図柄表示部１２ａの左右には、図示しない通過ゲートが設けられている。また、透明遊技盤１２の下部には始動入賞口１２ｂが設けられている。発射ハンドル１の操作によって盤面に発射された遊技球であるパチンコ球が始動入賞口１２ｂに入賞すると、液晶表示装置１３ｃの特別図柄表示部１２ａに特別図柄が変動表示されて特別図柄ゲームが開始される。特別図柄表示部１２ａに表示された特別図柄が所定の大当たり組み合わせで揃うと、大当たり入賞が発生して大当たり遊技が行われる。また、始動入賞口１２ｂの左右には、パチンコ球が入賞すると所定個数例えば１０個の賞球が払い出される一般入賞口１２ｃが設けられている。賞球は皿ユニット１１ｂの上部受皿１１ｂ１に払い出されるが、上部受皿１１ｂ１が満杯のときは下部受皿１１ｂ２に払い出される。また、始動入賞口１２ｂの下方には、大当たり入賞が発生すると行われる大当たり遊技において扉が開閉する大入賞口（アタッカ）１２ｄが設けられている。大入賞口１２ｄの下方には、上記の各入賞口１２ｂ〜１２ｄのいずれにも入賞しなかったパチンコ球が入球するアウト口１２ｅが設けられている。
【００１７】
各入賞口１２ｂ〜１２ｄおよび通過ゲートは透明遊技盤１２に設けられた遊技部材を構成しており、各入賞口１２ｂ〜１２ｄおよび通過ゲートの開口領域は遊技部材の所定領域を構成している。
【００１８】
大当たり遊技は、特別図柄の大当たり組み合わせが特別図柄ゲームの終了時に停止表示してから行われ、大入賞口１２ｄに所定個数例えば１０個のパチンコ球が入賞するまで、または、所定時間例えば３０秒が経過するまで、大入賞口１２ｄが開放したままになる遊技が最大で例えば１５ラウンド行われる。各ラウンド中に、大入賞口１２ｄへ入賞したパチンコ球が大入賞口１２ｄの内部に設けられたＶゾーンと呼ばれる特定の領域に入賞すると、次のラウンドへ継続して進むことができるが、各ラウンド中にＶゾーンに入賞しなかった場合はいわゆるパンクとなり、１５ラウンド到達以前であっても、大当たり遊技はそのラウンドで打ち切られて終了となる。大当たり遊技中には、透明遊技盤１２の盤面上方に設けられた電飾装置１１ａの電飾により演出が行われる。
【００１９】
図２は、パチンコ機１０の分解斜視図である。なお、同図において図１と同一部分には同一符号を付してその説明は省略する。
【００２０】
パチンコ機１０は、四角枠状の木枠１４の前面に中枠１３が取り付けられて構成される。中枠１３は、背面に取り付けられる液晶表示装置１３ｃと共に、透明遊技盤１２の背後に位置する裏機構盤を構成しており、パチンコ球を発射する後述する発射ソレノイド１３ｄ（図７参照）などを備えている。中枠１３は、木枠１４の前面で開閉し得るように、木枠１４の左側部に軸支される。中枠１３の前面中央部には透明遊技盤１２が取り付けられ、上部には遊技の演出音等が放音される一対のスピーカ１３ｂ，１３ｂが取り付けられる。また、中枠１３の前面の右下部には上述した発射ハンドル１が取り付けられる。透明遊技盤１２およびスピーカ１３ｂ，１３ｂはガラス扉１１で覆われ、ガラス扉１１の透明ガラス部分からは透明遊技盤１２の盤面が観察される。ガラス扉１１の上部には上述した電飾装置１１ａが設けられている。電飾装置１１ａは、電飾ＬＥＤ（発光ダイオード）１１ａ２と、この電飾ＬＥＤ１１ａ２を覆うレンズカバー１１ａ１とからなり、パチンコ遊技の演出を行う。また、中枠１３の下部には、上述した皿ユニット１１ｂが取り付けられる。
【００２１】
中枠１３の背面中央部の矩形状開口には、透明遊技盤１２に対向して液晶表示装置１３ｃが取り付けられ、更に液晶表示装置１３ｃを背後から覆うように球払出ユニット１５ａおよび基板ケースユニット１５ｂが取り付けられている。球払出ユニット１５ａは左側部、基板ケースユニット１５ｂは右側部が中枠１３に軸支され、球払出ユニット１５ａおよび基板ケースユニット１５ｂは観音扉状に開いて液晶表示装置１３ｃの背面を露出させる。液晶表示装置１３ｃは、遊技状態等に応じた演出表示をその前面で行い、上述したように、特別図柄表示部１２ａに特別図柄を表示する。球払出ユニット１５ａは、入賞結果に応じた数のパチンコ球を上部受皿１１ｂ１および下部受皿１１ｂ２に供給する。基板ケースユニット１５ｂには、遊技動作や演出表示、球発射等を制御するための後述する主制御基板３０や副制御基板４０、払出・発射制御基板６０（図７参照）などが収納されている。
【００２２】
図３は、透明遊技盤１２の構成の概略を示す正面図である。なお、同図において図１および図２と同一または相当する部分には同一符号を付してその説明は省略する。
【００２３】
透明遊技盤１２は、略円形の遊技領域１２Ａと、遊技領域１２Ａ左側の下部から中央部やや上側にかけて、遊技領域１２Ａに沿って設けられた略円弧状の球発射領域１２Ｂとを備える。遊技領域１２Ａには上述した各入賞口１２ｂ〜１２ｄ（同図では不図示）などが設けられている。球発射領域１２Ｂは、発射ハンドル１の操作によって発射されたパチンコ球を、遊技領域１２Ａに導くための領域である。球発射領域１２Ｂと遊技領域１２Ａとは戻り防止部材１２ｆで仕切られている。この戻り防止部材１２ｆは、遊技領域１２Ａ内のパチンコ球が球発射領域１２Ｂに戻るのを防止するためのもので、弾性を有する板状体から構成されている。
【００２４】
図４は、透明遊技盤１２の裏面の構成を示す裏面図である。なお、図４において図１および図２と同一または相当する部分には同一符号を付してその説明は省略する。
【００２５】
透明遊技盤１２の裏面の中央部には、ワープ通路１２ｉが設けられている。透明遊技盤１２の盤面正面には、このワープ通路１２ｉへパチンコ球を案内する図示しないワープ入口が開口している。ワープ入口に入ったパチンコ球は、透明遊技盤１２の盤面から消えてワープ通路１２ｉを通過した後、図示しないワープ出口から出てきて透明遊技盤１２の盤面に現れる。ワープ出口は始動入賞口１２ｂの上方に設けられているため、ワープ入口に入球してワープ出口から透明遊技盤１２の表面に出てきて流下するパチンコ球は、始動入賞口１２ｂに入賞しやすくなる。
【００２６】
透明遊技盤１２の裏面下部には、前述した各入賞口１２ｂ〜１２ｄに入球したパチンコ球を球通路７０ａ〜７０ｅを経由して収集する入賞球集合樋アッセンブリ７０が設けられている。図５は、図４に示す入賞球集合樋アッセンブリ７０の構造を示す拡大斜視図である。入賞球集合樋アッセンブリ７０の球通路７０ａ〜７０ｅに形成された図５に示す挿入口７１〜７４には、パチンコ球の通過を検出する後述する通過球センサ１００（図６参照）が設けられる。また、図５に示す中空部分７５，７６には、図４に示すように、後述する始動入賞口ソレノイド２４や大入賞口ソレノイド２５（図７参照）が設けられている。
【００２７】
透明遊技盤１２の裏面右下部には、メイン中継基板８０およびサブ中継基板９０が設けられている。メイン中継基板８０は、基板ケースユニット１５ｂに収納された主制御基板３０と入賞球集合樋アッセンブリ７０に設けられた各通過球センサ１００等との電気的接続を中継する。サブ中継基板９０は、基板ケースユニット１５ｂに収納された副制御基板４０と電飾ＬＥＤ１１ａ２等との電気的接続を中継する。
【００２８】
サブ中継基板９０には、副制御基板４０に構成された副制御回路によって制御される電飾ＬＥＤ１１ａ２が接続されるコネクタ９１や、副制御基板４０が接続されるコネクタ９２が設けられている。透明遊技盤１２の上辺に取り付けられた電飾ＬＥＤ１１ａ２とコネクタ９１とは、図示しないハーネスによって電気的に接続されている。また、副制御基板４０およびコネクタ９２の間も、図示しないハーネスによって電気的に接続されている。サブ中継基板９０には、これらコネクタ９１，９２以外にも、副制御回路によって制御される透明遊技盤１２に取り付けられた種々のアクチュエータなどが接続されるコネクタ群が設けられている。
【００２９】
メイン中継基板８０は、基板ホルダ８１によって透明遊技盤１２の裏面に保持されている。メイン中継基板８０には、主制御基板３０に構成された主制御回路によって制御される後述する始動入賞口ソレノイド２４，大入賞口ソレノイド２５，Ｖゾーン誘導装置３４（図７参照）といったアクチュエータ、および上述した球通路７０ａ〜７０ｅに設けられた複数の通過球センサ１００などが接続されるコネクタや、主制御基板３０が接続されるコネクタ８８が設けられている。主制御基板３０およびコネクタ８８等の間も、上述した副制御基板４０およびコネクタ９２の間と同様、図示しないハーネスによって電気的に接続されている。
【００３０】
図６は、上述した通過球センサ１００の構造を示しており、同図（ａ）はその側面図、同図（ｂ）はその平面図である。なお、同図（ｂ）において、通過球センサ１００の収納ケースは上部カバーが外された状態を示している。
【００３１】
通過球センサ１００は、透明遊技盤１２に設けられた各入賞口１２ｂ〜１２ｄおよび通過ゲートの開口領域を通過したパチンコ球Ｐを検出する遊技球検出装置を構成しており、通過孔１００ａを有する略直方体状の収納ケースに、一対の永久磁石１０１，１０２、一対のヨーク（鉄心）１０３，１０４、ホール素子１０５、および、図示しない回路基板を備えて構成されている。
【００３２】
通過孔１００ａは、パチンコ球Ｐが通過する遊技球検出通路を構成している。永久磁石１０１，１０２は、通過孔１００ａの周囲の対向した位置に配置されて、通過孔１００ａに磁界を発生する一対の磁界発生手段を構成している。永久磁石１０１，１０２は、互いに異なる磁極であるＮ極およびＳ極が対向させられており、通過球センサ１００が入賞球集合樋アッセンブリ７０の挿入口７１〜７４に挿入された状態で、透明遊技盤１２の盤面に平行な方向で対向するように配置されている。ヨーク１０３，１０４は、通過孔１００ａの周囲に配置されて、一対の永久磁石１０１，１０２との間で環状磁路を形成しており、ヨーク１０３は環状磁路上に間隙１０３ａを有して形成された第１のヨーク、ヨーク１０４は通過孔１００ａを介してヨーク１０３に対向して配置された第２のヨークを構成している。これら各ヨーク１０３，１０４は、通過球センサ１００が入賞球集合樋アッセンブリ７０の挿入口７１〜７４に挿入された状態で、透明遊技盤１２の盤面に平行な方向に沿って配置される。ホール素子１０５は、永久磁石１０１，１０２およびヨーク１０３，１０４によって形成される環状磁路に生じる磁束の変化をホール効果に基づいて検出する磁束検出手段を構成しており、通過球センサ１００が入賞球集合樋アッセンブリ７０の挿入口７１〜７４に挿入された状態で、磁束の変化を検出する検出面１０５ａが透明遊技盤１２の盤面と直交するように、ヨーク１０３に形成された間隙１０３ａに配置される。間隙１０３ａには、一対の永久磁石１０１，１０２が発生する磁界によって生じる磁束が集中して分布する。また、上述した回路基板にはホール素子１０５に生じるホール電圧を計測する回路が構成されており、回路基板と主制御基板３０（図７参照）とは、メイン中継基板８０に設けられたコネクタ８８を介して電気的に接続される。
【００３３】
図７は、本実施形態によるパチンコ機１０の遊技動作を処理制御する電子回路の主な構成を示すブロック図である。この電子回路は、主制御基板３０に設けられた主制御回路、副制御基板４０に設けられた副制御回路、払出・発射制御基板６０に設けられた払出・発射制御回路などから構成されている。主制御回路は、透明遊技盤１２におけるパチンコ遊技の進行に関する電気的制御や、透明遊技盤１２における後述する遊技装置の電気的制御などを行い、副制御回路は、この主制御回路からの指示に従って、電飾ＬＥＤ１１ａ２などの演出装置の電気的制御を行う。また、払出・発射制御回路は、賞球等の払い出しやパチンコ球Ｐの発射を制御する。
【００３４】
主制御基板３０には、メインＣＰＵ３１や初期リセット回路３２、シリアル通信用ＩＣ３３といった電子部品が実装されている。また、主制御基板３０には、メインＣＰＵ３１がパチンコ機１０の遊技動作を処理制御するためのプログラムが記憶格納された図示しないメインＲＯＭ（リードオンリメモリ）や、処理制御時にデータが一時的に記憶される図示しないメインＲＡＭ（ランダムアクセスメモリ）も実装されている。初期リセット回路３２は、主制御回路の起動時にメインＲＡＭに記憶されている遊技状態の内容を消去すると共に、メインＲＯＭに記憶されているプログラムに従った遊技処理を開始させるリセット信号を発生する。また、シリアル通信用ＩＣ３３は、メインＣＰＵ３１から送出される制御信号を各制御基板４０，６０へシリアルに送信する。
【００３５】
また、主制御基板３０には、上述した通過ゲートの内側に設けられ、パチンコ球Ｐが通過ゲートを通過するのを検出するゲートスイッチ２０ｓや、始動入賞口１２ｂに入賞したパチンコ球Ｐを検出する始動入賞球センサ２１ｓが接続されている。また、大入賞口１２ｄに入賞したパチンコ球Ｐを検出するカウントスイッチ２２ｓ、大入賞口１２ｄ内部のＶゾーンを通過したパチンコ球Ｐを検出するＶカウントスイッチ２２ｖ、一般入賞口１２ｃへ入賞したパチンコ球Ｐを検出する一般入賞球センサ２３ｓが接続されている。これら各スイッチ２０ｓ，２２ｓ，２２ｖおよび各センサ２１ｓ，２３ｓは、上述した通過球センサ１００で構成されている。また、主制御基板３０には、アクチュエータとして、始動入賞口１２ｂの球受入口を拡張する始動入賞口ソレノイド２４、大入賞口１２ｄの扉を開閉する大入賞口ソレノイド２５、および大入賞口１２ｄ内部のＶゾーンにパチンコ球Ｐが入賞した後にパチンコ球ＰをＶゾーン以外へ誘導するＶゾーン誘導装置３４などが接続されている。
【００３６】
上記各スイッチ２０ｓ，２２ｓ，２２ｖ、各センサ２１ｓ，２３ｓ、および各アクチュエータ２４，２５，３４は、パチンコ遊技を実行するための遊技装置を構成しており、メイン中継基板８０を介して主制御基板３０に接続されている。これら各スイッチ２０ｓ，２２ｓ，２２ｖおよび各センサ２１ｓ，２３ｓを構成する通過球センサ１００がパチンコ球Ｐを検出すると、その検出信号はメイン中継基板８０を介して主制御基板３０のメインＣＰＵ３１に入力され、入力される検出信号に応じて、メインＣＰＵ３１は上記各アクチュエータ２４，２５，３４をそれぞれ駆動制御する。
【００３７】
副制御基板４０は、液晶表示装置（ＬＣＤ）１３ｃ，スピーカ１３ｂ，１３ｂ，および電飾ＬＥＤ１１ａ２にサブ中継基板９０を介して接続されており、液晶表示装置１３ｃにおける画像表示を行う画像表示制御、スピーカ１３ｂ，１３ｂから効果音を放音させる音制御、および遊技状態に応じて電飾ＬＥＤ１１ａ２の発光を制御する電飾制御を行う。この副制御基板４０には、サブＣＰＵ４１、プログラムＲＯＭ４２、ワークＲＡＭ４３が実装されている。サブＣＰＵ４１は、主制御基板３０から受信した制御指令の解釈や、ＶＤＰ（ビデオ・ディスプレイ・プロセッサ）４４のパラメータ設定を行う。プログラムＲＯＭ４２には、サブＣＰＵ４１が液晶表示装置１３ｃや、スピーカ１３ｂ，１３ｂ、電飾ＬＥＤ１１ａ２の各動作を処理制御するための制御プログラムが記憶格納されている。ワークＲＡＭ４３は、サブＣＰＵ４１が上記制御プログラムに従って処理制御を行う際の一時的な記憶手段となる。
【００３８】
また、副制御基板４０には、画像データＲＯＭ４５、ＶＤＰ４４、および初期リセット回路４６が実装されている。画像データＲＯＭ４５は、液晶表示装置１３ｃに表示する画像を形成するためのドットデータを記憶格納する。ＶＤＰ４４は、サブＣＰＵ４１で設定されたパラメータに応じて画像データＲＯＭ４５内のドットデータを読み込み、液晶表示装置１３ｃに表示するための画像データを生成する。初期リセット回路４６は、副制御基板４０における副制御回路をリセットするリセット信号を発生する。
【００３９】
メインＣＰＵ３１は、始動入賞口１２ｂへパチンコ球Ｐが入賞して始動入賞が発生すると大当たり判定を行う。副制御回路は、この大当たり判定の結果に対応する態様で液晶表示装置１３ｃに特別図柄を順次停止表示させ、左図柄と右図柄とが同一図柄で揃って停止表示されるリーチ状態になると、液晶表示装置１３ｃに特別図柄および演出画を用いてリーチ演出を行う。
【００４０】
スピーカ駆動回路は、効果音の原信号を生成する音源ＩＣ４８と、これに接続され効果音が記憶されている音源データＲＯＭ４９と、音源ＩＣ４８から出力された原信号を増幅するアンプ５０と、３段階の中から１段階の音量出力レベルを指定する音量切換スイッチ５１とから構成されており、サブＣＰＵ４１からの駆動信号により、スピーカ１３ｂ，１３ｂを制御する。ドライブ回路５２は、サブＣＰＵ４１からの駆動信号により、パチンコ機１０の遊技状態に応じて電飾ＬＥＤ１１ａ２の発光を制御する。
【００４１】
払出・発射制御基板６０には、賞球などを払い出す払出装置６１、および発射ハンドル１の操作に応じて駆動される発射ソレノイド１３ｄが接続されている。払出・発射制御基板６０に構成された払出・発射制御回路は、各種入賞に応じて主制御基板３０から出力される払出指令信号に応じて払出装置６１を駆動制御して賞球を払い出させると共に、遊技者による発射ハンドル１の操作に応じて発射ソレノイド１３ｄを駆動制御し、パチンコ球Ｐを遊技領域１２Ａへ発射させる。
【００４２】
上記の構成において、図８（ａ）に示すようにパチンコ球Ｐが通過孔１００ａを通過していないときは、永久磁石１０１，１０２により発生する磁界によって生じる磁束は、通過孔１００ａの空間に比べて磁気抵抗が極めて小さな金属製のヨーク１０３，１０４によって形成される環状磁路内部を通過する。このとき、ホール素子１０５に生じるホール電圧は大きな値となっており、通過球センサ１００の回路基板からは、パチンコ球Ｐが通過孔１００ａを通過していないことを示す検出信号が出力されている。
【００４３】
また、発射ハンドル１が操作されて遊技領域１２Ａに発射されたパチンコ球Ｐが各入賞口１２ｂ〜１２ｄの開口領域に入って入賞したり、通過ゲートの開口領域を通過すると、パチンコ球Ｐは、球通路７０ａ〜７０ｅを通過して収集されながら、各挿入口７１〜７４に設けられた通過球センサ１００の通過孔１００ａを通過する。その際、永久磁石１０１，１０２により発生する磁界によって生じる磁束は、ヨーク１０３，１０４によって形成される環状磁路内部だけでなく、同図（ｂ）に点線Ｂで示すように、磁気抵抗がヨーク１０３，１０４と同程度に小さな金属製のパチンコ球Ｐの内部をも通過する。このとき、ヨーク１０３，１０４内部を通過する磁束は減少し、この磁束の減少に伴って、ヨーク１０３の間隙１０３ａに配置されたホール素子１０５に生じるホール電圧は、パチンコ球Ｐが通過していないときよりも小さくなる。このホール電圧の減少によって、パチンコ球Ｐが通過孔１００ａを通過したことを示す検出信号が回路基板からメインＣＰＵ３１に出力される。メインＣＰＵ３１は、この検出信号を入力すると、パチンコ球Ｐが通過孔１００ａを通過したものと判断し、入賞した入賞口または通過した通過ゲートに応じてパチンコ球Ｐの払出処理などを行う。
【００４４】
このような本実施形態によるパチンコ機１０によれば、上述したように、通過球センサ１００の通過孔１００ａをパチンコ球Ｐが通過していないときは、一対の永久磁石１０１，１０２が発生する磁界によって生じる磁束は、ほとんどが環状磁路を形成するヨーク１０３，１０４内部を通過する。一方、通過孔１００ａをパチンコ球Ｐが通過するときは、一対の永久磁石１０１，１０２が発生する磁界によって生じる磁束は上述したようにパチンコ球Ｐの内部をも通過し、ヨーク１０３，１０４内部を通過する磁束は分散して減少する。このため、ヨーク１０３，１０４内部を通過する磁束の変化、つまり、環状磁路に生じる磁束の変化に基づいて、通過孔１００ａをパチンコ球Ｐが通過したか否かが、ホール素子１０５により検出される。この際、ホール素子１０５は、閉じた環状磁路に生じる磁束の変化を検出するので、外部磁界の影響を受けることなく、パチンコ球Ｐの通過を正確に検出することができるようになる。従って、透明遊技盤１２の前面から磁石を近づけ、ホール素子１０５に外部磁界を及ばせることでパチンコ球Ｐが通過したものとホール素子１０５に誤検出させて、パチンコ球Ｐを不正に獲得するといった不正行為は、防止されるようになる。
【００４５】
また、本実施形態では、ヨーク１０３に形成された間隙１０３ａには、一対の永久磁石１０１，１０２が発生する磁界によって生じる磁束が集中して分布する。このため、パチンコ球Ｐの通過の有無によって環状磁路に生じる磁束の変化は、間隙１０３ａに配置されたホール素子１０５によって効果的に、かつ正確に検出されるようになる。
【００４６】
また、本実施形態では、永久磁石１０１，１０２が透明遊技盤１２の盤面に平行な方向で対向しており、ヨーク１０３，１０４がこの方向に沿って配置され、ホール素子１０５が、磁束の変化を検出する検出面１０５ａが透明遊技盤１２の盤面と直交するように配置されているので、ホール素子１０５は、透明遊技盤１２に平行な方向に生じる磁束の変化を検出面１０５ａで検出し、透明遊技盤１２に垂直な方向に生じる磁束の変化は検出面１０５ａでは検出しない。このため、例えば透明遊技盤１２の前面から磁石を近づけても、磁石によりホール素子１０５の検出面１０５ａに及ぶ磁界は磁束検出方向に垂直な方向の成分が主となり、ホール素子１０５が検出面１０５ａで検出する磁界にあまり影響を与えないので、ホール素子１０５による誤検出を利用した不正行為は、より確実に防止されるようになる。
【００４７】
また、本実施形態では、磁束検出手段がホール素子１０５から構成されるので、パチンコ球Ｐが通過孔１００ａを通過する際に発生する磁束の変化は、ホール素子１０５内部に電流磁気効果として起こるホール電圧の変化が検出されることで、検出される。ホール電圧の変化はホール素子１０５内部のキャリアのドリフト変化として現れ、極めて短い時間で検出されるため、パチンコ球Ｐの通過は、高速かつ高精度に検出される。また、ホール素子１０５周辺の静磁界に電磁波による微弱な磁界の変化が生じても、ホール素子１０５が起こすホール効果にはほとんど影響を与えないため、電磁波の影響でパチンコ球Ｐの通過が誤検出されてしまうこともない。
【００４８】
なお、上記の実施形態においては、磁束検出手段としてホール素子１０５を用いた場合を説明したが、ホール素子１０５の代わりに例えば磁気抵抗素子を用いることも可能である。
【００４９】
また、上記の実施形態においては、磁界発生手段として永久磁石１０１，１０２を用いた場合を説明したが、磁界発生手段は静磁界を発生するものであれば適宜変更可能である。
【産業上の利用可能性】
【００５０】
上記実施形態においては、本発明による遊技機をパチンコ機に適用した場合について説明したが、遊技部材の所定領域を通過した遊技球を検出する遊技球検出装置を備えた他の遊技機に本発明を適用することも可能である。このような遊技機に本発明を適用した場合においても上記実施形態と同様な作用効果が奏される。
【図面の簡単な説明】
【００５１】
【図１】本発明の一実施形態によるパチンコ機の外観を示す斜視図である。
【図２】図１に示すパチンコ機の分解斜視図である。
【図３】図１に示すパチンコ機の透明遊技盤の構成の概略を示す正面図である。
【図４】図３に示す透明遊技盤の裏面の構成を示す裏面図である。
【図５】図４に示す透明遊技盤の裏面に設けられた入賞球集合樋アッセンブリの構造を示す拡大斜視図である。
【図６】図１に示すパチンコ機に用いられる通過球センサの構造を示しており、（ａ）はその側面図、（ｂ）はその平面図である。
【図７】図１に示すパチンコ機の遊技動作を処理制御する電子回路の主な構成を示すブロック図である。
【図８】（ａ）はパチンコ球が通過球センサの通過孔を通過していないときの通過球センサの平面図、（ｂ）はパチンコ球が通過しているときの通過球センサの平面図を示す図である。
【符号の説明】
【００５２】
１０…パチンコ機
１２…透明遊技盤
１２ｂ…始動入賞口
１２ｃ…一般入賞口
１２ｄ…大入賞口
２０ｓ，２２ｓ，２２ｖ…スイッチ
２１ｓ，２３ｓ…センサ
３０…主制御基板
４０…副制御基板
７０…入賞球集合樋アッセンブリ
７０ａ，７０ｂ，７０ｃ，７０ｄ，７０ｅ…球通路
７１，７２，７３，７４…挿入口
１００…通過球センサ
１００ａ…通過孔
１０１，１０２…永久磁石
１０３，１０４…ヨーク
１０３ａ…間隙
１０５…ホール素子
１０５ａ…検出面
Ｐ…パチンコ球
【図１】
0004823625.tif 000002
【図２】
0004823625.tif 000003
【図３】
0004823625.tif 000004
【図４】
0004823625.tif 000005
【図５】
0004823625.tif 000006
【図６】
0004823625.tif 000007
【図７】
0004823625.tif 000008
【図８】
0004823625.tif 000009